(57)【要約】【課題】既存のポイントサービスを活用して、サービスごとのポイントカードを携帯する必要がないポイントサービスシステムを提供する。【解決手段】主催者サーバ１は、ポイントサービスの利用者識別情報を発行し、利用者識別情報から利用者識別符号を生成して、利用者識別情報をネットワークサーバ２に送信する。ネットワークサーバ２は、利用者識別情報２６を格納し、利用者識別情報２６と利用者ポイント情報２７を加盟店端末４から受信して、それらを対応付けて格納する。また、携帯端末３の要求に応答して、利用者ポイント情報２７を携帯端末３に送信する。携帯端末３は、利用者識別符号３８を格納し、表示部３５に表示する。加盟店端末４は、携帯端末３に表示される利用者識別符号３８を読み取って、利用者識別情報２６を得る。そして算定した利用者のポイントを利用者識別情報２６とともにネットワークサーバ２に送信する。【選択図】図１
2009064212.tif 000002
【特許請求の範囲】
【請求項１】
ポイントサービスの利用者に対して、利用者を識別する情報を発行する手段と、前記利用者を識別する情報から利用者であることを示す符号を生成する符号生成手段と、前記利用者を識別する情報をネットワークサーバに送信する送信手段と、を備える主催者サーバと、
前記ポイントサービスの利用者であることを示す符号を格納する記憶手段と、前記符号を表示する符号表示手段と、を備える携帯端末と、
前記利用者を識別する情報を前記主催者サーバから受信する手段と、前記利用者を識別する情報とその利用者のポイント情報を加盟店端末から受信するポイント情報受信手段と、前記利用者を識別する情報とその利用者のポイント情報とを対応付けて格納するデータベース手段と、を備えるネットワークサーバと、
前記携帯端末に表示される前記符号を読み取って、前記利用者を識別する情報を得る手段と、所定の規則に従って前記利用者のポイントを算定する手段と、前記利用者を識別する情報と前記算定したポイントを前記ネットワークサーバに送信する手段と、を備える加盟店端末と、
を備えることを特徴とするポイントサービスシステム。
【請求項２】
前記ネットワークサーバは、前記携帯端末の通信サービスを行うネットワークに接続して前記携帯端末と通信する携帯通信手段を備え、
前記携帯端末は、前記携帯端末の通信サービスを経由して前記ネットワークサーバに、前記利用者のポイント情報を要求する指令を送信する手段を備え、
前記携帯通信手段は、前記携帯端末の要求に応答して、前記利用者のポイント情報を前記携帯端末に送信する
ことを特徴とする請求項１に記載のポイントサービスシステム。
【請求項３】
前記主催者サーバの送信手段は、ポイントサービスに関連する情報を前記ネットワークサーバに送信し、
前記ネットワークサーバの前記データベース手段は、前記主催者サーバから受信したポイントサービスに関連する情報を格納し、
前記ネットワークサーバの前記携帯通信手段は、前記携帯端末に、前記ポイントサービスに関連する情報を送信する、
ことを特徴とする請求項１または２に記載のポイントサービスシステム。
【請求項４】
前記ネットワークサーバは、複数のポイントサービスについてそれぞれの主催者サーバの利用者を識別する情報とその利用者のポイント情報とを対応付けて格納することを特徴とする請求項１ないし３のいずれか１項に記載のポイントサービスシステム。
【請求項５】
前記利用者であることを示す符号は二次元コードであり、前記携帯端末は、前記利用者であることを示す符号として二次元コードをその画面に表示し、
前記加盟店端末は、前記携帯端末の画面に表示された前記二次元コードを読み取って、前記利用者を識別する情報を得る、
ことを特徴とする請求項１ないし４のいずれか１項に記載のポイントサービスシステム。
【請求項６】
店舗において顧客が利用した額に応じたポイントを与え、ポイント残高により各種のサービスを行うポイントサービスシステムにおいて、ポイントサービスの情報を前記ポイントサービスの利用者に提供するネットワークサーバであって、
前記ポイントサービスの利用者を識別する情報を発行する主催者サーバから、前記利用者を識別する情報を受信する受信手段と、
携帯端末の通信サービスを行うネットワークに接続して、前記携帯端末と通信する携帯通信手段と、
前記利用者を識別する情報とその利用者のポイント情報を、前記ポイントサービスの加盟店の端末から受信するポイント情報受信手段と、
前記利用者を識別する情報とその利用者のポイント情報とを対応付けて格納するデータベース手段と、
を備えることを特徴とするネットワークサーバ。
【発明の詳細な説明】
【技術分野】
【０００１】
本発明は、店舗において顧客が利用した額に応じたポイントを与え、ポイント残高により各種のサービスを行うポイントサービスシステムに関する。
【背景技術】
【０００２】
店舗において顧客が利用した額に応じたポイントを与え、ポイント残高により各種のサービスを行うポイントサービスが行われている。ポイントサービスでは、そのサービスの主催者が利用者にカードを発行し、利用者はカードを加盟店に提示することによって、ポイントサービスを受けるのが一般的である。ポイントサービスごとにカードを発行するので、複数のポイントサービスを利用する場合は、それぞれのカードを携帯する必要がある。
【０００３】
例えば、特許文献１は、店舗毎のポイントカードを持つ必要がなく、しかも顧客は店舗毎のポイント数を容易に知ることができる技術が記載されている。特許文献１の技術は、サービスポイントが発生したとき店舗毎に設置された店舗サーバから顧客の携帯端末に対してポイント数データを発信させる。携帯端末は、店舗サーバからのポイント数データを受信したとき、メモリ内の前記店舗に対応するポイント数格納欄の格納データに前記受信したポイント数データを加算してポイント数格納欄に格納する。所定の操作が入力されたときメモリ内の店舗毎のポイント数格納欄の格納データを表示画面に表示する。
【０００４】
特許文献２は、携帯電話端末と公衆回線を用いて、会社毎、システム毎の個別のサービスを統合することが記載されている。特許文献２の技術は、顧客識別情報を携帯電話端末に持たせ、複数の店舗にそれぞれ設置されたＰＯＳ端末により顧客識別情報を読み出す。顧客識別情報に、異なるポイントサービスを運用する会社情報、顧客識別情報、顧客の有するポイント情報を関連付けて登録し管理する。利用者は自分の保有する携帯電話端末に記憶された顧客識別情報を提示することにより、複数のポイントサービス提供会社が行っているポイントサービスを受けることができる。
【０００５】
また、特許文献３は、個人識別情報と店舗署名とポイント情報とが構造型文書形式により記載された第１のポイントデータを携帯電話に蓄積する。携帯電話と有線または無線で接続される店舗端末は、携帯電話に蓄積された第１のポイントデータを取り出し、第１のポイントデータにその店舗署名が記載されている時には、ポイント情報に基づいてポイントサービスを行う。
【特許文献１】特開２００２−３６６８２１号公報
【特許文献２】特開２００３−４４９３４号公報
【特許文献３】特開２００４−１２７０８９号公報
【発明の開示】
【発明が解決しようとする課題】
【０００６】
上述の関連する技術では、サービスごとのポイントを携帯端末に記憶したり（特許文献１、特許文献３）、複数のサービスを統合すること（特許文献２）が必要である。ポイントを携帯端末に記憶する場合は、ポイントの改ざん、不一致が発生しうる。また、携帯端末の障害でポイントが消滅する可能性がある。特許文献２の場合は、異なるポイントサービスの加盟店舗に共通した識別情報の読み取りと照合判定が必要である。
【０００７】
本発明は、上記事情に鑑みてなされたものであり、既存のポイントサービスを活用して、サービスごとのポイントカードを携帯する必要がないポイントサービスシステムを提供することを目的とする。
【課題を解決するための手段】
【０００８】
本発明の第１の観点に係るポイントサービスシステムは、
ポイントサービスの利用者に対して、利用者を識別する情報を発行する手段と、前記利用者を識別する情報から利用者であることを示す符号を生成する符号生成手段と、前記利用者を識別する情報をネットワークサーバに送信する送信手段と、を備える主催者サーバと、
前記ポイントサービスの利用者であることを示す符号を格納する記憶手段と、前記符号を表示する符号表示手段と、を備える携帯端末と、
前記利用者を識別する情報を前記主催者サーバから受信する手段と、前記利用者を識別する情報とその利用者のポイント情報を加盟店端末から受信するポイント情報受信手段と、前記利用者を識別する情報とその利用者のポイント情報とを対応付けて格納するデータベース手段と、を備えるネットワークサーバと、
前記携帯端末に表示される前記符号を読み取って、前記利用者を識別する情報を得る手段と、所定の規則に従って前記利用者のポイントを算定する手段と、前記利用者を識別する情報と前記算定したポイントを前記ネットワークサーバに送信する手段と、を備える加盟店端末と、
を備えることを特徴とする。
【０００９】
好ましくは、前記ネットワークサーバは、前記携帯端末の通信サービスを行うネットワークに接続して前記携帯端末と通信する携帯通信手段を備え、
前記携帯端末は、前記携帯端末の通信サービスを経由して前記ネットワークサーバに、前記利用者のポイント情報を要求する指令を送信する手段を備え、
前記携帯通信手段は、前記携帯端末の要求に応答して、前記利用者のポイント情報を前記携帯端末に送信する
ことを特徴とする。
【００１０】
さらに、前記主催者サーバの送信手段は、ポイントサービスに関連する情報を前記ネットワークサーバに送信し、
前記ネットワークサーバの前記データベース手段は、前記主催者サーバから受信したポイントサービスに関連する情報を格納し、
前記ネットワークサーバの前記携帯通信手段は、前記携帯端末に、前記ポイントサービスに関連する情報を送信するよう構成してもよい。
【００１１】
好ましくは、前記ネットワークサーバは、複数のポイントサービスについてそれぞれの主催者サーバの利用者を識別する情報とその利用者のポイント情報とを対応付けて格納することを特徴とする。
【００１２】
好ましくは、前記利用者であることを示す符号は二次元コードであり、前記携帯端末は、前記利用者であることを示す符号として二次元コードをその画面に表示し、
前記加盟店端末は、前記携帯端末の画面に表示された前記二次元コードを読み取って、前記利用者を識別する情報を得る。
【００１３】
本発明の第２の観点に係るネットワークサーバは、
店舗において顧客が利用した額に応じたポイントを与え、ポイント残高により各種のサービスを行うポイントサービスシステムにおいて、ポイントサービスの情報を前記ポイントサービスの利用者に提供するネットワークサーバであって、
前記ポイントサービスの利用者を識別する情報を発行する主催者サーバから、前記利用者を識別する情報を受信する受信手段と、
携帯端末の通信サービスを行うネットワークに接続して、前記携帯端末と通信する携帯通信手段と、
前記利用者を識別する情報とその利用者のポイント情報を、前記ポイントサービスの加盟店の端末から受信するポイント情報受信手段と、
前記利用者を識別する情報とその利用者のポイント情報とを対応付けて格納するデータベース手段と、
を備えることを特徴とする。
【発明の効果】
【００１４】
本発明のポイントサービスシステムによれば、ポイントサービスの利用者は、ポイントサービスごとのカードを携帯する必要がない。また、携帯端末にポイントを格納しないので、安全であり、信頼性が向上する。さらに、ポイントサービスを主催する側は、統合する必要がない。
【発明を実施するための最良の形態】
【００１５】
以下、本発明の一実施の形態に係るポイントサービスシステムについて、図を参照して説明する。なお、図中同一または相当部分には同一符号を付し、その説明は繰り返さない。
【００１６】
（実施の形態１）
図１は、本発明の実施の形態１に係るポイントサービスシステム１０の構成を示すブロック図である。ポイントサービスシステム１０は、ポイントサービスを主催する者のサーバである主催者サーバ１と、ネットワークサーバ２と、携帯端末３と、加盟店端末４とから構成される。図１では、携帯端末３と加盟店端末４をそれぞれ代表して１台記載している。携帯端末３は、ポイントサービスの利用者が保有するもので、ポイントサービスシステム１０に複数台あり得る。加盟店端末４は、通常このポイントサービスに加盟する店舗に設置され、ポイントサービスシステム１０に複数台あり得る。
【００１７】
主催者サーバ１は、制御部１１、通信部１５および記憶部１６から構成される。制御部１１は、識別情報発行部１２、符号生成部１３および通信処理部１４を備える。それらは、制御部１１のＣＰＵ、主記憶装置および入出力装置などから構成され、主記憶装置にロードしたプログラムを実行することにより、識別情報の発行（付与）、符号の生成、ネットワークサーバ２との通信を行う。
【００１８】
通信部１５は、公衆電話網、ＩＳＤＮ、ＡＤＳＬ、ケーブルＴＶ、光ケーブルネットワーク、携帯電話網またはＰＨＳ等に接続し、ネットワークサーバ２および加盟店端末４とデータ通信を行う。ネットワークサーバ２または加盟店端末４との通信は、個別にダイヤルアップ接続する場合もあるし、インターネットまたはイントラネットを経由してデータを送受信するかもしれない。
【００１９】
記憶部１６は、ポイントサービスの利用者の情報である利用者情報１７を記憶する。図２は、利用者情報１７の構成の例を示す。利用者情報１７は、例えば、利用者を特定するための利用者の氏名、住所、連絡先電話番号、メールアドレスと、年齢、性別、職業などの利用者の属性情報を含む。利用者を識別するために、利用者ごとに一意な識別情報（利用者識別情報）が付与されて、利用者のその他の情報と対応づけて記憶される。
【００２０】
制御部１１の識別情報発行部１２は、新たに利用者を登録するときに、利用者識別情報を発行し、利用者の情報と対応づけて記憶する。利用者識別情報は、例えば、連続した番号である。あるいは、登録した店舗または地域を表す記号と、登録した日付などと連続番号または氏名のイニシャルなどとの組み合わせなどであってもよい。予めポイントカードが製造されていて、その番号を利用者に割り当てるだけの場合もある。
【００２１】
符号生成部１３は、利用者識別情報に対応する符号を生成する。利用者識別情報に対応する符号とは、機械で読み込み可能な形式に識別情報を表現したものである。例えば、識別情報を表すバーコードである。ここで生成する符号は、後述する携帯端末における符号の表示方法と関連して決まる。例えば、符号を表示するときに文字またはトーンに変換して表示し、文字またはトーンをＯＣＲまたはトーン識別装置で読み取って識別する場合には、符号は識別情報のコード（計算機内部表現）そのものであり得る。
【００２２】
符号としては、例えば、バーコードのような一次元コード、ＱＲコード（登録商標）のような二次元コード、トーン信号、文字列コードなどがある。二次元コードには、バーコードを積み重ねたスタック式と、小さな正方形を上下左右に配列させたマトリックス式がある。図３は、マトリックス式のＱＲコード（登録商標）の例を示す（（株）デンソーウェーブのホームページより引用）。
【００２３】
符号生成部１３は、そのポイントサービスの所定の方法で利用者識別情報から符号を生成する。予めポイントカードが製造されていて、利用者にその１つを割り当てる場合には、符号生成部１３は、割り当てたポイントカードの符号を採用するだけである。利用者識別情報と生成した符号は、利用者に送られる。例えば、バーコードや二次元コードの画像を、利用者識別情報とともに、電子メールに添付して利用者に送信する。あるいは、ポイントカードを送付する。あるいはまた、利用者がポイントサービスを申し込んだときに、ポイントカードが渡されて（識別情報と符号が付与されて）、主催者サーバでは事後に利用者情報と識別情報を対応づけて登録するだけかもしれない。
【００２４】
通信処理部１４は、通信部１５を介してネットワークサーバ２に利用者識別情報を送信する。利用者識別情報に付随して、その利用者の初期ポイント情報を送信する場合もある。例えば、ポイントサービスを申し込むと同時に利用したポイントが発生する場合、または、申し込んだときにポイントを与えるキャンペーンを行っているような場合である。
【００２５】
ネットワークサーバ２は、制御部２１、通信部２４および記憶部２５から構成される。制御部２１は、主催者通信処理部２２と、携帯通信処理部２３を備える。それらは、制御部２１のＣＰＵ、主記憶装置および入出力装置などから構成され、主記憶装置にロードしたプログラムを実行することにより、利用者識別情報の受信・登録、利用者ポイント情報の受信・登録、携帯端末３との通信を行う。
【００２６】
通信部２４は、公衆電話網、ＩＳＤＮ、ＡＤＳＬ、ケーブルＴＶ、光ケーブルネットワーク、携帯電話網５またはＰＨＳ等に接続し、主催者サーバ１および加盟店端末４とデータ通信を行う。主催者サーバ１または加盟店端末４との通信は、個別にダイヤルアップ接続する場合もあるし、インターネットまたはイントラネットを経由してデータを送受信するかもしれない。
【００２７】
通信部２４はまた、携帯電話網５またはＰＨＳ等に接続し、携帯端末３と通信する。携帯端末３が無線ＬＡＮに接続するコンピュータのような場合、インターネット経由で携帯端末３と通信する場合がある。
【００２８】
記憶部２５は、ハードディスク、ＤＶＤ（Digital Versatile Disc）またはフラッシュメモリなどで構成され、ポイントサービスの利用者識別情報２６と、利用者ポイント情報２７を対応づけて記憶する。図４は、利用者識別情報２６および利用者ポイント情報２７の例を示す。利用者識別情報２６は、主催者サーバ１で発行されネットワークサーバ２に送信された利用者識別情報である。利用者ポイント情報２７は、利用者のポイント残高を示す。
【００２９】
制御部２１の主催者通信処理部２２は、主催者サーバ１から利用者識別情報を受信し、記憶部２５の利用者識別情報２６に登録する。そのとき、その利用者のポイント情報を設定する。主催者サーバ１から利用者識別情報に付随して利用者ポイント情報が送信された場合は、その値を利用者ポイント情報２７の初期値として設定する。利用者ポイント情報を受信しない場合は、所定の初期値、例えば０、を設定する。
【００３０】
主催者通信処理部２２は、また、加盟店端末４と通信し、利用者のポイント情報を受信して利用者ポイント情報２７を更新する。加盟店端末４に利用者ポイント情報２７を送信することがある。加盟店端末４とは直接通信せず、主催者サーバ１を経由して利用者ポイント情報２７を送受信する場合もある。
【００３１】
携帯通信処理部２３は、後述する携帯端末３からポイント残高照会を受信して、その利用者の利用者ポイント情報２７を送信する。
【００３２】
携帯端末３は、制御部３１、通信部３４、表示部３５および記憶部３６から構成される。制御部３１は、通信処理部３２と表示処理部３３を備える。それらは、制御部３１のＣＰＵ、主記憶装置および入出力装置などから構成され、主記憶装置にロードしたプログラムを実行することにより、利用者識別情報および利用者識別符号の受信・登録、利用者識別符号の表示、利用者ポイント情報の受信、ネットワークサーバ２との通信を行う。
【００３３】
通信部３４は、携帯電話網５またはＰＨＳ等に接続し、ネットワークサーバ２と通信する。携帯端末３が無線ＬＡＮに接続するコンピュータのような場合、無線ＬＡＮからインターネット経由でネットワークサーバ２と通信する場合がある。図１では、代表して携帯電話網５を記載している。
【００３４】
表示部３５は、液晶ディスプレイなどで構成され、後述する利用者識別符号および利用者ポイント情報を表示する。また、表示部３５はスピーカを備え、トーン信号の利用者識別符号を再生する場合がある。表示部３５は、ＩｒＤＡ、ＢｌｕｅｔｏｏｔｈまたはＲＦＩＤの送受信機能を備え、赤外線または電波で利用者識別符号を送信してもよい。
【００３５】
記憶部３６は、フラッシュメモリなどで構成され、ポイントサービスごとに利用者識別情報３７と利用者識別符号３８を対応づけて記憶する。利用者識別情報３７は、主催者サーバ１で発行されたポイントサービスの利用者を識別する情報であり、利用者識別符号３８は、符号生成部１３で利用者識別情報から生成された符号である。利用者識別符号３８は、例えば、二次元コードの画像データである。
【００３６】
通信処理部３２は、主催者サーバ１からポイントサービスの登録情報を受信して、その登録情報に含まれる利用者識別情報と符号を、記憶部３６に利用者識別情報３７および利用者識別符号３８として記憶する。また、通信処理部３２は、ネットワークサーバ２にポイント情報照会を送信し、ネットワークサーバ２から利用者ポイント情報２７を受信して表示する。
【００３７】
利用者識別情報３７と利用者識別符号３８は、ポイントサービスの主催者からオフラインで（例えば、郵送で）送られる場合もある。また、ポイントサービスに加入するときに、ポイントカードを受領するかもしれない。その場合は、利用者は携帯端末３を操作して、利用者識別情報を入力し、また、利用者識別符号を携帯端末３のカメラなどで読み込ませることもある。
【００３８】
表示処理部３３は、ポイントサービスを利用するときに、そのポイントサービスの利用者識別符号３８を表示部３５に表示する。例えば、利用者識別符号３８が二次元コードの画像の場合は、表示部３５として液晶ディスプレイなどの画面に、その画像を表示する。利用者識別符号３８がトーン信号の音データの場合、表示部３５としてスピーカからその音データを再生する。その他、ＩｒＤＡ、Ｂｌｕｅｔｏｏｔｈ、ＲＦＩＤなど、利用者識別符号の表現形式に適合する表示部を選択して、利用者識別符号を表示する。
【００３９】
加盟店端末４は、制御部４１、読み取り部４５および通信部４６から構成される。制御部４１は、通信処理部４２、ポイント算定部４３および識別情報判定部４４を備える。それらは、制御部４１のＣＰＵ、主記憶装置および入出力装置などから構成され、主記憶装置にロードしたプログラムを実行することにより、利用者識別符号の読み取り、利用者識別情報の判定、利用者ポイントの算定、ネットワークサーバ２または主催者サーバ１との通信、および利用者ポイントの送受信を行う。
【００４０】
読み取り部４５は、そのポイントサービスの利用者識別符号を読み取る機能を備える。例えば、利用者識別符号がバーコードの場合は、読み取り部４５はバーコードリーダである。利用者識別符号が二次元コードの場合は、読み取り部４５は二次元コードリーダである。利用者識別符号がトーン信号の場合は、読み取り部４５はマイクとトーン信号検出器で構成される。携帯端末３の表示部３５に表示された利用者識別符号を読み取って、制御部４１に伝達する。
【００４１】
通信部４６は、公衆電話網、ＩＳＤＮ、ＡＤＳＬ、ケーブルＴＶ、光ケーブルネットワーク、携帯電話網またはＰＨＳ等に接続し、ネットワークサーバ２または主催者サーバ１とデータ通信を行う。ネットワークサーバ２または主催者サーバ１との通信は、個別にダイヤルアップ接続する場合もあるし、インターネットまたはイントラネットを経由してデータを送受信するかもしれない。
【００４２】
制御部４１の通信処理部４２は、通信部４６を介してネットワークサーバ２または主催者サーバ１と通信し、利用者ポイント情報を送信または受信する。また、利用者を認証するためのデータを送受信する場合もある。利用者ポイントは、その加盟店で発生することもあるし、消費されることもある。通信処理部４２は、利用者のポイント残高を照会する場合がある。また、送信するポイント情報には、発生ポイントと消費ポイントが含まれることがある。
【００４３】
加盟店端末４が主催者サーバ１に接続する場合、利用者ポイント情報は主催者サーバ１を経由して、ネットワークサーバ２に送信される。ネットワークサーバ２は、最新の利用者ポイント情報を保持する。
【００４４】
識別情報判定部４４は、読み取り部４５で読み取った利用者識別符号から利用者識別情報を判定する。利用者識別符号に、利用者識別情報が正当なデータであるか否かを判定するための付加的データが含まれる場合、所定の方法で演算して利用者識別情報が正当であるかどうかを判定する場合もある。
【００４５】
ポイント算定部４３は、利用者識別符号を呈示した利用者が、その加盟店で利用した額に応じたポイントを算定する。ポイント算定部４３は、その加盟店で発生したポイントを算定するだけでなく、消費したポイントも算定する。
【００４６】
次に、本実施の形態１に係るポイントサービスシステム１０の動作を説明する。図５は、利用者識別情報をネットワークサーバ２に登録する動作の一例を示す。図５の右側は主催者サーバ１の動作を、左側はネットワークサーバ２の動作を示す。主催者サーバ１は、利用者情報を入力する（ステップＳ１）。利用者情報は、加盟店端末４から送信される場合がある。あるいは、申込用紙を見てオペレータが入力するかもしれない。また、コンピュータ読み取り可能な媒体で供給されて、主催者サーバ１に入力されるかもしれない。
【００４７】
制御部１１の識別情報発行部１２は、利用者情報に対して、利用者識別情報を発行する（ステップＳ２）。例えば、図２の氏名より右の欄の情報に対して、左欄の識別情報を付与する。符号生成部１３は、利用者識別情報から前述の符号を生成する（ステップＳ３）。利用者識別情報と符号は、利用者に電子メールなどで送信される。ポイントカードが利用者に送られてもよい。通信処理部１４は、通信部１５を介して、ネットワークサーバ２に利用者識別情報を送信する（ステップＳ４）。
【００４８】
ネットワークサーバ２は、利用者識別情報を受信すると（ステップＳ５）、その利用者識別情報を記憶部２５に利用者識別情報２６として登録する（ステップＳ６）。そして、その利用者識別情報に対応する利用者ポイント情報に、ポイント残高を設定する（ステップＳ７）。
【００４９】
図６は、携帯端末３に識別符号を登録する動作の一例を示す。制御部３１は、ポイントサービスを選択する（ステップＴ１）。すなわち、ポイントサービスの名称と利用者識別情報を入力する。著名なポイントサービスについては、予め名称を登録しておいてもよい。利用者は、その名称を選択して、利用者識別情報を入力することができる。
【００５０】
制御部３１はそのポイントサービスの利用者識別符号を入力する（ステップＴ２）。識別符号は、例えば電子メールの添付ファイルで与えられる。電子メールの添付ファイルを受信することが入力に相当する。または、ポイントカードに記載された二次元コードなどの符号を、携帯端末３のカメラで読み込む。制御部３１は、利用者識別符号を利用者識別情報に対応づけて記憶部３６に登録する（ステップＴ３）。
【００５１】
図７は、サービスポイント処理の動作の一例を示す。利用者は、ある加盟店でポイントサービスを利用する場合、携帯端末３に登録されているそのポイントサービスを選択する。携帯端末３の表示処理部３３は、ポイントサービス選択が入力されると（ステップＴ１１）、そのポイントサービスの利用者識別符号３８を記憶部３６から読み出し（ステップＴ１２）、表示部３５に表示する（ステップＴ１３）。
【００５２】
加盟店端末４は、携帯端末３に表示された利用者識別符号を読み取って（ステップＴ１４）、識別情報判定部４４で、利用者識別情報を判定する（ステップＴ１５）。ポイント算定部４３は、利用者の利用に応じて所定の方法でポイントを算定する（ステップＴ１６）。ポイントの算定に先立って、ポイント残高を照会する場合もある。
【００５３】
通信処理部４２は、判定した利用者識別情報と算定したポイント情報を、ネットワークサーバ２に送信する（ステップＴ１７）。
【００５４】
ネットワークサーバ２では、利用者識別情報とポイント情報を受信すると（ステップＳ１１）、主催者通信処理部２２は、その利用者識別情報に対応する利用者ポイント情報の残高を設定する（ステップＳ１２）。すなわちそれまでのポイント残高から使用したポイントを減算し、発生したポイントを加算して、新たなポイント残高として設定する。
【００５５】
図８は、サービスポイントを照会する動作の一例を示す。携帯端末３は、ポイントサービスを選択してポイント残高を照会する指令を入力すると（ステップＴ２１）、ポイント残高照会をネットワークサーバ２に送信する（ステップＴ２２）。ポイント残高照会は、携帯電話のネットワークブラウザでネットワークサーバ２を閲覧するような形式でもよいし、電子メールを送信する形でもよい。ネットワークサーバ２のネットワークアドレスは、予め与えられている。あるいは、加盟店などに二次元コードで表示しておいて、それを読み込んで認識してもよい。
【００５６】
ネットワークサーバ２は、ポイント残高照会を受信すると（ステップＳ２１）、その利用者識別情報によりポイント残高を検索して（ステップＳ２２）、ポイント残高を携帯端末３に送信する（ステップＳ２３）。携帯端末３の通信処理部３２がポイント残高を受信すると（ステップＴ２３）、表示処理部３３はポイント残高を表示部３５に表示する（ステップＴ２４）。
【００５７】
以上、説明したとおり、本発明のポイントサービスシステム１０によれば、利用者は、ポイントカードを携帯することなく、ポイントカードシステムの特典を享受できる。そして、ポイント情報を携帯端末３に格納しないので、安全であり、信頼性が向上する。ポイントサービスを主催する側は、他のサービスと統合する必要がない。また、ネットワークサーバで一括してポイント情報を格納するので、利用者はいつでもポイント残高を照会することができる。その結果、ポイントカード主催者および加盟店は、カード利用者の増加と、その利用率の向上が見込める。
【００５８】
（実施の形態２）
図９は、実施の形態２に係るポイントサービスシステム１０の構成の例を示すブロック図である。実施の形態２では、ポイントサービスに関連する情報をネットワークサーバを通じて利用者に提供する。図９に示すように、主催者サーバ１は、ポイントサービス関連情報１８を記憶している。
【００５９】
ポイントサービス関連情報１８は、例えば、ポイントサービスに加盟している店舗の情報、ポイントサービスの利用方法、ポイントサービスの特典、期間限定のキャンペーン情報などを含む。図１０は、ポイントサービス関連情報１８の一例として、加盟店の情報を示す。ポイントサービス関連情報１８には、加盟店の広告や、加盟店で扱う商品の広告も含まれる。
【００６０】
図１１は、ポイントサービス関連情報を登録する動作の一例を示すフローチャートである。主催者サーバ１でポイントサービス関連情報１８を設定すると（ステップＳ３１）、主催者サーバ１の通信処理部１４は、ポイントサービス関連情報１８を通信部１５を介して、ネットワークサーバ２に送信する（ステップＳ３２）。ポイントサービス関連情報１８を送信するのは、新たなポイントサービス関連情報が発生したときである。または、定期的に送信する方法でもよい。
【００６１】
ネットワークサーバ２は、ポイントサービス関連情報１８を受信すると（ステップＳ３３）、主催者サーバ１から受信したポイントサービスに関連する情報を、ポイントサービス関連情報２８として、記憶部２５に格納する（ステップＳ３４）。ネットワークサーバ２は、携帯端末３から要求されたときに、または、利用者ポイント情報が照会されたときに、ポイントサービス関連情報２８の一部または全部を携帯端末３に送信する。
【００６２】
図１２は、ポイントサービス関連情報を照会する動作の一例を示すフローチャートである。携帯端末３でポイントサービスを選択した関連情報の照会を入力すると（ステップＴ３１）、通信処理部３２は、ネットワークサーバ２にサービス関連情報の照会を送信する（ステップＴ３２）。
【００６３】
サービス関連情報の照会は、前述のとおり、例えば加盟店の検索、取り扱い商品の検索、キャンペーン情報などの照会である。図１０の例では、地域の加盟店、店舗の種類、加盟店の名称などで、その所在地や電話番号を検索することができる。
【００６４】
ネットワークサーバ２は、サービス関連情報照会を受信すると（ステップＳ３３）、照会されたポイントサービスの関連情報を検索して（ステップＳ３４）、携帯端末３に送信する（ステップＳ３５）。ネットワークサーバ２では、携帯端末３が加盟店を検索したときに、その加盟店の広告、類似の加盟店の情報、キャンペーン情報などを併せて送信することもできる。
【００６５】
携帯端末３の通信処理部３２が、ポイントサービス関連情報を受信すると（ステップＴ３３）、表示処理部３３は、表示部３５にそのポイントサービス関連情報を表示する（ステップＴ３４）。
【００６６】
以上説明したように、実施の形態２のポイントサービスシステム１０によれば、ポイントサービスに関連する情報を、利用者は随時照会することができる。また、携帯電話サービス会社は、ユーザの店舗検索などパケット通信料の増加が期待できる。
【００６７】
（実施の形態３）
実施の形態３は、ポイントサービスシステムに複数のポイントサービスが存在する場合である。図１３は、実施の形態３に係るポイントサービスシステムの構成の例を示す。図１３では、ポイントサービスシステム１０に、複数のポイントサービスＡ、Ｂ、Ｃがある場合を示す。
【００６８】
ポイントサービスごとに、主催者サーバ１Ａ、１Ｂ、１Ｃが置かれている。それぞれは、実施の形態２の主催者サーバ１と同様である。ネットワークサーバ２は１つであって、記憶部２５には、ポイントサービスごとに利用者識別情報２６、利用者ポイント情報２７、ポイントサービス関連情報２８を格納する。
【００６９】
携帯端末３は代表して１台で示すが、記憶部３６には、ポイントサービスごとに利用者識別情報３７と利用者識別符号３８が記憶される。携帯端末３では、登録したポイントサービスから選択して利用することができる。また、それぞれのポイントサービスについて、ポイント残高と関連情報を照会することができる。
【００７０】
加盟店端末４Ａ、４Ｂ、４Ｃは、ポイントサービスごとにそれぞれ１台で代表して示す。それぞれの加盟店端末４Ａ、４Ｂ、４Ｃは、実施の形態１または２の加盟店端末４と同様である。すなわち、ポイントサービスが統合されて通信するネットワークサーバ２または主催者サーバ１が変わることはない。また、新たに利用者識別情報の認証（問い合わせ、判定）が必要になることはない。
【００７１】
以上説明したとおり、本発明のポイントサービスシステム１０では、複数のポイントサービスを、それぞれを変更することなく利用することが可能である。また、ポイントサービスの比較情報や、さらに、利用者の状況（ポイント残高）に応じたポイントサービス関連情報の提供などの応用が考えられる。
【００７２】
その他、前記のハードウエア構成やフローチャートは一例であり、任意に変更及び修正が可能である。
【００７３】
主催者サーバ１およびネットワークサーバ２は、専用のシステムによらず、通常のコンピュータシステムを用いて実現可能である。例えば、前記の動作を実行するためのコンピュータプログラムを、コンピュータが読みとり可能な記録媒体（フレキシブルディスク、CD-ROM、DVD-ROM等）に格納して配布し、当該コンピュータプログラムをコンピュータにインストールすることにより、前記の処理を実行する装置を構成してもよい。また、インターネット等の通信ネットワーク上のサーバ装置が有する記憶装置に当該コンピュータプログラムを格納しておき、通常のコンピュータシステムがダウンロード等することで主催者サーバ１およびネットワークサーバ２を構成してもよい。
【００７４】
また、前記の各機能を、ＯＳ（オペレーティングシステム）とアプリケーションプログラムの分担、又はＯＳとアプリケーションプログラムとの協働により実現する場合などには、アプリケーションプログラム部分のみを記録媒体や記憶装置に格納してもよい。
【００７５】
また、搬送波に上述のコンピュータプログラムを重畳し、通信ネットワークを介して配信することも可能である。
【図面の簡単な説明】
【００７６】
【図１】本発明の実施の形態１に係るポイントサービスシステムの構成を示すブロック図である。
【図２】利用者情報の構成の例を示す図である。
【図３】マトリックス式の二次元情報の例を示す図である。
【図４】利用者識別情報および利用者ポイント情報の例を示す図である。
【図５】利用者識別情報をネットワークサーバに登録する動作の一例を示すフローチャートである。
【図６】携帯端末に識別符号を登録する動作の一例を示すフローチャートである。
【図７】サービスポイント処理の動作の一例を示すフローチャートである。
【図８】サービスポイントを照会する動作の一例を示すフローチャートである。
【図９】実施の形態２に係るポイントサービスシステム１０の構成の例を示すブロック図である。
【図１０】ポイントサービス関連情報の一例を示す図である。
【図１１】ポイントサービス関連情報を登録する動作の一例を示すフローチャートである。
【図１２】ポイントサービス関連情報を照会する動作の一例を示すフローチャートである。
【図１３】実施の形態３に係るポイントサービスシステムの構成の例を示すブロック図である。
【符号の説明】
【００７７】
１、１Ａ、１Ｂ、１Ｃ  主催者サーバ
２    ネットワークサーバ
３    携帯端末
４、４Ａ、４Ｂ、４Ｃ  加盟店端末
５    携帯電話網
１０    ポイントサービスシステム
１１    制御部
１２    識別情報発行部
１３    符号生成部
１４    通信処理部
１５    通信部
１６    記憶部
１７    利用者情報
１８    ポイントサービス関連情報
２１    制御部
２２    主催者通信処理部
２３    携帯通信処理部
２４    通信部
２５    記憶部
２６    利用者識別情報
２７    利用者ポイント情報
２８    ポイントサービス関連情報
３１    制御部
３２    通信処理部
３３    表示処理部
３４    通信部
３５    表示部
３６    記憶部
３７    利用者識別情報
３８    利用者識別符号
４１    制御部
４２    通信処理部
４３    ポイント算定部
４４    識別情報判定部
４５    読み取り部
４６    通信部
【図１】
2009064212.tif 000003
【図２】
2009064212.tif 000004
【図３】
2009064212.tif 000005
【図４】
2009064212.tif 000006
【図５】
2009064212.tif 000007
【図６】
2009064212.tif 000008
【図７】
2009064212.tif 000009
【図８】
2009064212.tif 000010
【図９】
2009064212.tif 000011
【図１０】
2009064212.tif 000012
【図１１】
2009064212.tif 000013
【図１２】
2009064212.tif 000014
【図１３】
2009064212.tif 000015